【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
第一の検出アセンブリと第二の検出アセンブリとを備えた装置であって、
上記第一の検出アセンブリは、第一のパターンで構成された、複数のサブアゼンブリを含む検出アセンブリであって、第一のエネルギー分布を有する第一の波からエネルギーの第一の部分を受け取るとともに、上記エネルギーの第一の部分に対応した第一の信号を発生する検出アセンブリであり、
上記第一の検出アゼンブリのパターンは、上記第一の波から第二のエネルギー分布を有する第二の波に入るエネルギーの第二の部分を形成するために選択されたものであり、
上記第二の検出アセンブリは、上記第二のエネルギー分布に応じて配置された第二のパターンを有する検出アセンブリであって、上記エネルギーの上記第二の部分に対応した第二の信号を発生する検出アセンブリである、装置。
【請求項２】
上記第一の検出アゼンブリと、上記第二の検出アゼンブリとが、機能するように連結されている、請求項１に記載の装置。
【請求項３】
波源をさらに備えている、請求項１に記載の装置。
【請求項４】
上記波源は上記第一の波を発生する、請求項３に記載の装置。
【請求項５】
上記第一の検出アゼンブリはエネルギーを再放射するように構成されている、請求項１に記載の装置。
【請求項６】
上記第一の検出アゼンブリは基板を備え、上記基板は上記サブアゼンブリを保持するように構成されている、請求項１に記載の装置。
【請求項７】
上記基板は、上記第一の検出アゼンブリのパターンの一部を形成する、請求項６に記載の装置。
【請求項８】
上記サブアゼンブリは、第一の空間分布で構成されている、請求項１に記載の装置。
【請求項９】
上記第一の空間分布は、上記第一の検出アゼンブリのパターンの一部を形成する、請求項８に記載の装置。
【請求項１０】
上記第一の検出アゼンブリの第一のサブアゼンブリは、第一のエネルギー帯に属するエネルギーを受け取るように構成されている、請求項８に記載の装置。
【請求項１１】
上記第一の検出アゼンブリの第二のサブアゼンブリは、第二のエネルギー帯に属するエネルギーを受け取るように構成されている、請求項８に記載の装置。
【請求項１２】
上記第二の検出アゼンブリは、複数の第二のサブアゼンブリを含み、上記複数の第二のサブアゼンブリは、第二の空間分布で構成されている、請求項１に記載の装置。
【請求項１３】
上記第二の空間分布は、上記第二の検出アゼンブリのパターンの一部を形成する、請求項１２に記載の装置。
【請求項１４】
上記複数の第二のサブアゼンブリの第一のサブアゼンブリは、第一のエネルギー帯に属するエネルギーを受け取るように構成されている、請求項１２に記載の装置。
【請求項１５】
上記複数の第二のサブアゼンブリの第二のサブアゼンブリは、第二のエネルギー帯に属するエネルギーを受け取るように構成されている、請求項１２に記載の装置。
【請求項１６】
上記第一の検出アゼンブリのパターンは、回折素子を形成している、請求項１に記載の装置。
【請求項１７】
上記第一の検出アゼンブリのパターンは、ゾーンプレートを形成している、請求項１６に記載の装置。
【請求項１８】
上記第一の検出アゼンブリのパターンは、回折格子を形成している、請求項１６に記載の装置。
【請求項１９】
上記第一の検出アゼンブリのパターンは、屈折素子を形成している、請求項１に記載の装置。
【請求項２０】
上記第一の検出アゼンブリのパターンは、集束屈折素子を形成している、請求項１９に記載の装置。
【請求項２１】
上記第一の検出アゼンブリのパターンは、ホログラムを形成している、請求項１９に記載の装置。
【請求項２２】
信号処理装置をさらに備えた、請求項１に記載の装置。
【請求項２３】
上記信号処理装置と、上記第一の検出アゼンブリとは、機能するように連結されている、請求項２２に記載の装置。
【請求項２４】
上記信号処理装置と、上記第二の検出アゼンブリとは、機能するように連結されている、請求項２２に記載の装置。
【請求項２５】
上記第一の波は、電磁波である、請求項１に記載の装置。
【請求項２６】
上記第一の波は、音響波である、請求項１に記載の装置。
【請求項２７】
上記第一の検出アゼンブリは、量子ドットを含む、請求項１に記載の装置。
【請求項２８】
上記第一の検出アゼンブリは、メタマテリアルを含む、請求項１に記載の装置。
【請求項２９】
上記第一の検出アゼンブリは、分割リング共鳴器を含む、請求項１に記載の装置。
【請求項３０】
上記第一の検出アゼンブリは、アンテナを含む、請求項１に記載の装置。
【請求項３１】
上記第一の検出アゼンブリは、ナノチューブを含む、請求項１に記載の装置。
【請求項３２】
上記第一の検出アゼンブリは、光ダイオードを含む、請求項１に記載の装置。
【請求項３３】
上記第一の検出アゼンブリは、変換器を含む、請求項１に記載の装置。
【請求項３４】
上記第一の検出アゼンブリは、圧電性物質を含む、請求項１に記載の装置。
【請求項３５】
上記第一の検出アゼンブリは、集線装置を含む、請求項１に記載の装置。
【請求項３６】
上記集線装置は、蛍光プローブを含む、請求項３５に記載の装置。
【請求項３７】
第一の波形を第二の波形に変換するように構成された波形形成構造であって、上記第一の波形についての情報を送受信するように構成された波形形成構造と、
上記第二の波形に応じて配置された受信器であって、上記第二の波形についての情報を送受信するように構成された受信器と、を含むシステム。
【請求項３８】
上記波形形成構造は、上記第一の波形についての情報を、上記受信器に送信するように構成されている、請求項３７に記載のシステム。
【請求項３９】
上記受信器は、上記第二の波形についての情報を、上記波形形成構造に送信するように構成されている、請求項３７に記載のシステム。
【請求項４０】
上記波形形成構造は、上記第一の波形についての情報を、情報処理装置に送信するように構成されている、請求項３７に記載のシステム。
【請求項４１】
上記受信器は、上記第二の波形についての情報を、上記情報処理装置に送信するように構成されている、請求項４０に記載のシステム。
【請求項４２】
上記受信器は、上記第二の波形についての情報を、情報処理装置に送信するように構成されている、請求項３７に記載のシステム。
【請求項４３】
情報処理装置をさらに備えた、請求項３７に記載のシステム。
【請求項４４】
上記波形形成構造は、上記情報処理装置からの情報を受信するように構成されている、請求項４３に記載のシステム。
【請求項４５】
上記受信器は、上記情報処理装置からの情報を受信するように構成されている、請求項４３に記載のシステム。
【請求項４６】
入射波の一部を検出するように構成された複数の素子からなる第１の素子配列であって、入射波の第一の部分を透過するように構成された第一の素子配列と、
複数の素子からなる第二の素子配列であって、上記入射波のうち透過した部分を受信するように構成された上記第二の素子配列と、を備えた装置であって、
上記第１の素子配列と、上記第二の素子配列とは、機能するように連結されている、装置。
【請求項４７】
第一の検出器が波形を検出する工程と、
上記第一の検出器が上記波形を再分配する工程と、
上記再分配された波形に応じて配置された第二の検出器が上記再分配された波形を検出する工程と、を含む方法。
【請求項４８】
第一の検出アセンブリが入射エネルギーの第一の部分を第一の位置において第一の信号に変換する工程と、
第二の位置においてパターンを形成するために、上記第一の検出アセンブリが上記第一の位置において入射エネルギーの第二の部分を配列する工程と、
第二の検出アセンブリが入射エネルギーの上記第二の部分を上記第二の位置において第二の信号に変換する工程と、
上記第一の信号、及び、上記第二の信号を処理する工程と、を含む方法。
【請求項４９】
上記第一の信号の処理機能をさらに備える、請求項４８に記載の方法。
【請求項５０】
上記第二の信号の処理機能をさらに備える、請求項４８に記載の方法。